(57)【要約】【課題】音声出力器の音質の低下を抑制すること。【解決手段】音声出力器は、内部空間を有するハウジングと、電動工具用バッテリが装着されるバッテリ装着部と、少なくとも一部が内部空間に配置される高音用スピーカと、少なくとも一部が内部空間に配置される低音用スピーカと、内部空間において高音用スピーカが配置される第１空間と低音用スピーカが配置される第２空間とを区画する区画部材と、を備える。【選択図】図２
2020028090.tif 000002
【特許請求の範囲】
【請求項１】
内部空間を有するハウジングと、
電動工具用バッテリが装着されるバッテリ装着部と、
少なくとも一部が前記内部空間に配置される高音用スピーカと、
少なくとも一部が前記内部空間に配置される低音用スピーカと、
前記内部空間において前記高音用スピーカが配置される第１空間と前記低音用スピーカが配置される第２空間とを区画する区画部材と、
を備える音声出力器。
【請求項２】
前記区画部材は、前記内部空間において前記高音用スピーカの周囲に配置される、
請求項１に記載の音声出力器。
【請求項３】
前記ハウジングは、前記内部空間と前記ハウジングの外部空間とを結ぶ開口を有し、
前記区画部材の少なくとも一部は、前記開口に配置され、
前記高音用スピーカの少なくとも一部は、前記区画部材に接続される、
請求項２に記載の音声出力器。
【請求項４】
前記高音用スピーカは、振動板と、コイルと、前記振動板を支持するフランジ部及び前記コイルの周囲に配置される本体部を含むフレームとを有し、
前記区画部材は、前記開口に配置されるリム部と、前記第１空間を形成するボウル部とを有し、
前記リム部は、前記フランジ部を支持し、
前記ボウル部は、前記本体部の周囲に配置される、
請求項３に記載の音声出力器。
【請求項５】
前記高音用スピーカは、第１高音用スピーカと、第２高音用スピーカとを含み、
前記区画部材は、前記第１高音用スピーカの周囲に配置され前記ハウジングの左板に支持される第１区画部材と、前記第２高音用スピーカの周囲に配置され前記ハウジングの右板に支持される第２区画部材とを含み、
前記内部空間において、前記第１区画部材と前記第２区画部材とは接続される、
請求項１から請求項４のいずれか一項に記載の音声出力器。
【請求項６】
前記低音用スピーカは、前記ハウジングの下板に配置される、
請求項５に記載の音声出力器。
【請求項７】
前記第１高音用スピーカは、前記ハウジングの前記左板に配置され、
前記第２高音用スピーカは、前記ハウジングの前記右板に配置される、
請求項５又は請求項６に記載の音声出力器。
【発明の詳細な説明】
【技術分野】
【０００１】
本発明は、音声出力器に関する。
【背景技術】
【０００２】
内装工事現場のような作業現場において、音楽又はラジオ放送を楽しむために、特許文献１に開示されているような音声出力器が使用される。
【先行技術文献】
【特許文献】
【０００３】
【特許文献１】特開２０１７−０７９３７７号公報
【発明の概要】
【発明が解決しようとする課題】
【０００４】
音声出力器の音質の改善のために、高音用スピーカ及び低音用スピーカのそれぞれから音声を出力させるマルチウェイスピーカ方式を採用することが考えられる。高音用スピーカ及び低音用スピーカが設けられる場合、高音用スピーカ及び低音用スピーカの一方のスピーカから出力された音声に起因する空気の振動が、他方のスピーカの動きを阻害する可能性がある。その結果、音質が低下する可能性がある。
【０００５】
本発明の態様は、音声出力器の音質の低下を抑制することを目的とする。
【課題を解決するための手段】
【０００６】
本発明の態様に従えば、内部空間を有するハウジングと、電動工具用バッテリが装着されるバッテリ装着部と、少なくとも一部が前記内部空間に配置される高音用スピーカと、少なくとも一部が前記内部空間に配置される低音用スピーカと、前記内部空間において前記高音用スピーカが配置される第１空間と前記低音用スピーカが配置される第２空間とを区画する区画部材と、を備える音声出力器が提供される。
【発明の効果】
【０００７】
本発明の態様によれば、音声出力器の音質の低下を抑制することができる。
【図面の簡単な説明】
【０００８】
【図１】図１は、実施形態に係る音声出力器の概要を示すブロック図である。
【図２】図２は、実施形態に係る音声出力器を示す斜視図である。
【図３】図３は、実施形態に係る音声出力器を示す正面図である。
【図４】図４は、実施形態に係る音声出力器を示す側面図である。
【図５】図５は、実施形態に係る音声出力器を示す下面図である。
【図６】図６は、実施形態に係る音声出力器を示す断面図である。
【図７】図７は、実施形態に係る音声出力器を示す断面図である。
【図８】図８は、図７の一部を拡大した図である。
【図９】図９は、実施形態に係るバッテリ収容室を示す斜視図である。
【図１０】図１０は、実施形態に係るバッテリ収容室を示す斜視図である。
【図１１】図１１は、実施形態に係るバッテリ収容室を示す斜視図である。
【図１２】図１２は、実施形態に係る音声出力器を模式的に示す斜視図である。
【発明を実施するための形態】
【０００９】
以下、本発明に係る実施形態について図面を参照しながら説明するが、本発明は実施形態に限定されない。以下で説明する実施形態の構成要素は、適宜組み合わせることができる。また、一部の構成要素を用いない場合もある。
【００１０】
また、以下の説明においては、「前」、「後」、「上」、「下」、「左」、「右」の用語を用いて各部の位置関係について説明する。上下方向と左右方向と前後方向とは直交する。
【００１１】
［音声出力器の概要］
図１は、実施形態に係る音声出力器１の概要を示すブロック図である。音声出力器１は、ラジオ放送出力機能及び音楽再生機能を有する。音声出力器１は、ラジオ放送の電波を受信するアンテナ３５と、高音用スピーカ８と、低音用スピーカ９と、操作パネル５と、制御装置７０とを備える。
【００１２】
音声出力器１は、高音用スピーカ８及び低音用スピーカ９のそれぞれから音声を出力させるマルチウェイスピーカ方式を採用する。高音用スピーカ８は、中高音用スピーカを含む概念である。高音用スピーカ８は、第１高音用スピーカ８１と、第２高音用スピーカ８２とを含む。
【００１３】
制御装置７０は、受信部７０Ａと、通信部７０Ｂと、取得部７０Ｃと、処理部７０Ｄと、出力部７０Ｅとを有する。
【００１４】
受信部７０Ａは、アンテナ３５を介して取得されたラジオ放送の電波を同調して音声データを生成するチューナとして機能する。
【００１５】
通信部７０Ｂは、音声出力器１とは異なる外部機器９１から送信された音声データを取得する。通信部７０Ｂは、外部機器９１と無線通信する。通信部７０Ｂは、ブルートゥース（Bluetooth：登録商標）のような近距離無線通信規格に基づいて、外部機器９１から送信された音声データを取得する。
【００１６】
取得部７０Ｃは、音声出力器１とは異なる外部機器９２から送信された音声データを取得する。取得部７０Ｃは、外部機器９２と有線通信する。取得部７０Ｃは、ケーブルを介して外部機器９２に接続される。取得部７０Ｃは、ケーブルを介して、外部機器９２から送信された音声データを取得する。
【００１７】
処理部７０Ｄは、受信部７０Ａで生成された音声データ、通信部７０Ｂにより取得された音声データ、及び取得部７０Ｃにより取得された音声データの少なくとも一つを処理する。処理部７０Ｄは、例えば操作パネル５が操作されることにより生成された操作データに基づいて、音声データを処理する。音声データの処理は、音量の調整処理及び音質の調整処理を含む。音質の調整処理は、音声の周波数特性の調整を含む。
【００１８】
出力部７０Ｅは、処理部７０Ｄで処理された音声データを増幅して、高音用スピーカ８及び低音用スピーカ９に出力する。高音用スピーカ８及び低音用スピーカ９は、出力部７０Ｅから出力された音声データに基づいて、音声を出力する。
【００１９】
［音声出力器］
図２は、実施形態に係る音声出力器１を示す斜視図である。図３は、実施形態に係る音声出力器１を示す正面図である。図４は、実施形態に係る音声出力器１を示す側面図である。図５は、実施形態に係る音声出力器１を示す下面図である。
【００２０】
図２、図３、図４、及び図５に示すように、音声出力器１は、ハウジング２と、ハンドル３と、緩衝部材４と、操作パネル５と、ガード部材６と、脚部７と、高音用スピーカ８と、低音用スピーカ９と、バッテリ収容室１０とを備える。
【００２１】
ハウジング２の外形は、実質的に直方体状である。ハウジング２は、上板２１と、下板２２と、左板２３と、右板２４と、前板２５と、後板２６とを有する。
【００２２】
ハウジング２は、本体部材２Ａと、蓋部材２Ｂとを含む。バッテリ収容室１０は、本体部材２Ａと蓋部材２Ｂとの間に規定される。本体部材２Ａは、上板２１の前部、下板２２、左板２３の前部、右板２４の前部、及び前板２５を含む。蓋部材２Ｂは、上板２１の後部、左板２３の後部、右板２４の後部、及び後板２６を含む。
【００２３】
図４に示すように、蓋部材２Ｂの下端部は、本体部材２Ａに回動可能に連結される。蓋部材２Ｂに、本体部材２Ａと着脱可能に連結されるロック機構２７が設けられる。ロック機構２７は、ラッチ機構を含む。蓋部材２Ｂの回動軸は、左右方向に延在する。蓋部材２Ｂが回動することにより、バッテリ収容室１０が開放又は閉塞される。
【００２４】
ハンドル３は、作業者に保持される。ハンドル３は、本体部材２Ａに回動可能に連結される。作業者は、ハンドル３を保持した状態で、音声出力器１を運搬することができる。ハンドル３は、作業者に把持される把持部３１と、把持部３１と本体部材２Ａとを連結するアーム部３２とを有する。アーム部３２は、上板２１の左部に連結される第１のアーム部３２と、上板２１の右部に連結される第２のアーム部３２とを含む。アーム部３２は、本体部材２Ａに回動可能に連結される。アーム部３２の回動軸は、左右方向に延在する。把持部３１は、第１のアーム部３２と第２のアーム部３２とを結ぶように左右方向に延在する。図４に示すように、ハンドル３は、収納状態と起立状態との一方から他方に変化するように回動する。収納状態とは、図４において実線で示すように、アーム部３２が実質的に前後方向に延在し、上板２１と接触する状態をいう。起立状態とは、図４において点線で示すように、アーム部３２が実質的に上下方向に延在し、上板２１から離れる状態をいう。ハンドル３は、収納状態と起立状態との間において、約９０［°］回動可能である。収納状態において、上板２１と上面とハンドル３の上面とは実質的に同一面内に配置され、後板２６の後面とハンドル３の後面とは実質的に同一面内に配置される。
【００２５】
緩衝部材４は、衝撃を吸収してハウジング２を保護する。緩衝部材４は、ハウジング２の角部に設けられる。緩衝部材４は、例えばエラストマ製である。
【００２６】
操作パネル５は、ハウジング２の前板２５に設けられる。操作パネル５は、表示装置５１と、表示装置５１の上方に配置される複数のボタン５２と、表示装置５１の下方に配置される複数のボタン５３と、ボタン５３の下方に配置されるダイヤル５４と、ダイヤル５４の左方に配置されるイコライザボタン５５と、ダイヤル５４の右方に配置されるインフォボタン５６と、ダイヤル５４の周囲に配置される発光部５７とを有する。
【００２７】
表示装置５１は、液晶ディスプレイ（ＬＣＤ：Liquid  Crystal  Display）のようなフラットパネルディスプレイを含む。表示装置５１は、音声出力器１の作動状態を示す表示データを表示する。
【００２８】
ボタン５２は、音声出力器１の電源のオンとオフとを切り換えるために操作される電源ボタン、受信するラジオ放送をＡＭ（Amplitude  Modulation）放送とＦＭ（Frequency  Modulation）放送とで切り換えるために操作されるラジオ切換ボタン、及びアラームの出力時刻を設定するために操作されるアラーム設定ボタン等を含む。
【００２９】
ボタン５３は、ラジオ放送局を選択するために操作されるプリセットボタン、及び外部機器９１と通信部７０Ｂとを無線通信するために操作されるペアリングボタン等を含む。
【００３０】
ダイヤル５４は、ラジオ放送局の選択、及び高音用スピーカ８と低音用スピーカ９とから出力される音量の調整のために操作される。
【００３１】
イコライザボタン５５は、高音用スピーカ８及び低音用スピーカ９から出力される音声の周波数特性を示すモードを変更するために操作される。複数種類のモードが処理部７０Ｄに予め登録されている。イコライザボタン５５が操作される度に、モードが変更される。なお、作業者が操作パネル５を操作して任意のモードを処理部７０Ｄに登録してもよい。作業者は、イコライザボタン５５を操作して、再生される音楽の種類に適したモードに設定することができる。モードとして、標準的な周波数特性を示すフラットモード、ジャズ音楽に適したジャズモード、ロック音楽に適したロックモード、クラシック音楽に適したクラシックモード、ポピュラー音楽に適したポップモード、ラジオ放送に適したニュースモード、及び作業者により設定されたマイイコライザモードが例示される。
【００３２】
インフォボタン５６は、例えば操作パネル５が有する時計表示機能の時刻合わせのために操作される。
【００３３】
発光部５７は、発光ダイオード（ＬＥＤ：Light  Emitting  Diode）のような光源を含む。光源は、赤色光を射出可能な赤色発光ダイオードと、緑色光を射出可能な緑色発光ダイオードと、青色光を射出可能な青色発光ダイオードとを含む。すなわち、発光部５７は、複数の色光を射出可能である。発光部５７は、イコライザボタン５５で設定されたモードに基づいて、特定の色光を射出する。一例として、フラットモードが設定された場合、発光部５７は白色光を射出する。ジャズモードが設定された場合、発光部５７は青色光を射出する。ロックモードが設定された場合、発光部５７は赤色光を射出する。クラシックモードが設定された場合、発光部５７は茶色光を射出する。ポップモードが設定された場合、発光部５７は桃色光を射出する。ニュースモードが設定された場合、発光部５７は黄色光を射出する。マイイコライザモードが設定された場合、発光部５７は緑色光を射出する。設定されたモードに基づいて、発光部５７から射出される色光が変更されることにより、作業者は、設定されているモードを直感的に認識することができる。
【００３４】
ガード部材６は、操作パネル５を保護する保護部材である。ガード部材６は、前板２５の左部及び右部のそれぞれから、操作パネル５よりも前方に突出する。ガード部材６の上部及び下部のそれぞれがハウジング２に連結される。ガード部材６の中間部はハウジング２から離れている。
【００３５】
脚部７は、下板２２の下面の４つの角部のそれぞれに設けられる。脚部７は、下板２２の下面からから下方に突出する。床面のような設置面に音声出力器１を設置する場合、作業者は、脚部７と設置面とが接触するように音声出力器１を設置する。脚部７と設置面とが接触した状態で、下板２２の下面は設置面から離れる。
【００３６】
また、音声出力器１は、前板２５の下部に配置された第１端子４１、第２端子４２、及び第３端子４３を備える。第１端子４１は、ＵＳＢ（Universal  Serial  Bus）端子である。第２端子４２は、マイクジャックである。第２端子４２にマイクが接続されると、マイクから入力された音声が増幅されて高音用スピーカ８及び低音用スピーカ９のそれぞれから出力される。第３端子４３は、ＡＵＸ（Auxiliary）端子である。第１端子４１は、カバー４５で覆われる。第２端子４２は、カバー４６で覆われる。第３端子４３は、カバー４７で覆われる。
【００３７】
また、音声出力器１は、左板２３の下部に配置された電源端子６１を備える。電源端子６１は、ＡＣ(Alternating  Current)アダプタを介して交流電源（商用電源）に接続される。ＡＣアダプタは、交流電源から供給された交流電力を直流電力に変換して、電源端子６１に出力する。電源端子６１は、カバー６０で覆われる。
【００３８】
[高音用スピーカ及び低音用スピーカ]
図６は、実施形態に係る音声出力器１を示す断面図である。図６は、図３のＡ−Ａ線矢視図を示す。図７は、実施形態に係る音声出力器１を示す断面図である。図７は、図４のＢ−Ｂ線矢視図を示す。
【００３９】
図６及び図７に示すように、ハウジング２は、内部空間ＳＰを有する。高音用スピーカ８の少なくとも一部は、内部空間ＳＰに配置される。低音用スピーカ９の少なくとも一部は、内部空間ＳＰに配置される。
【００４０】
本実施形態において、音声出力器１は、内部空間ＳＰにおいて高音用スピーカ８が配置される第１空間ＳＰ１と低音用スピーカ９が配置される第２空間ＳＰ２とを区画する区画部材１００を備える。区画部材１００は、内部空間ＳＰにおいて高音用スピーカ８の周囲に配置される。区画部材１００は、合成樹脂製でもよいし、金属製でもよい。
【００４１】
本実施形態において、音声出力器１は、高音用スピーカ８を２つ有する。高音用スピーカ８は、ハウジング２の左板２３に配置される第１高音用スピーカ８１と、ハウジング２の右板２４に配置される第２高音用スピーカ８２とを含む。第１高音用スピーカ８１の構造及び大きさと、第２高音用スピーカ８２の構造及び大きさとは、同一である。上下方向及び前後方向のそれぞれにおいて、第１高音用スピーカ８１の中心の位置と第２高音用スピーカ８２の中心の位置とは一致する。第１高音用スピーカ８１は、左板２３よりも左方に向かって音声を出力する。第２高音用スピーカ８２は、右板２４よりも右方に向かって音声を出力する。
【００４２】
低音用スピーカ９は、ハウジング２の下板２２に配置される。左右方向において、低音用スピーカ９は、第１高音用スピーカ８１と第２高音用スピーカ８２との間に配置される。左右方向において、ハウジング２の中心の位置と低音用スピーカ９の中心の位置とは一致する。低音用スピーカ９は、下板２２よりも下方に向かって音声を出力する。
【００４３】
なお、上下方向及び前後方向の少なくとも一方において、第１高音用スピーカ８１の中心の位置と第２高音用スピーカ８２の中心の位置とは一致しなくてもよい。
【００４４】
なお、左右方向において、ハウジング２の中心の位置と低音用スピーカ９の中心の位置とは一致しなくてもよい。
【００４５】
なお、前後方向において、高音用スピーカ８の中心の位置と低音用スピーカ９の中心の位置とは一致してもよいし一致しなくてもよい。
【００４６】
ハウジング２は、内部空間ＳＰとハウジング２の外部空間とを結ぶ開口を有する。ハウジング２の開口は、下板２２に設けられた開口２２Ｍと、左板２３に設けられた開口２３Ｍと、右板２４に設けられた開口２４Ｍとを含む。低音用スピーカ９の少なくとも一部は、開口２２Ｍの内側に配置される。第１高音用スピーカ８１の少なくとも一部は、開口２３Ｍの内側に配置される。第２高音用スピーカ８２の少なくとも一部は、開口２４Ｍの内側に配置される。
【００４７】
また、区画部材１００の少なくとも一部は、開口２３Ｍに配置され、区画部材１００の少なくとも一部は、開口２４Ｍに配置される。区画部材１００は、ハウジング２に支持される。高音用スピーカ８の少なくとも一部は、区画部材１００に接続される。高音用スピーカ８は、区画部材１００を介して、ハウジング２に支持される。
【００４８】
区画部材１００は、第１高音用スピーカ８１の周囲に配置されハウジング２の左板２３に支持される第１区画部材１０１と、第２高音用スピーカ８２の周囲に配置されハウジング２の右板２４に支持される第２区画部材１０２とを含む。内部空間ＳＰにおいて、第１区画部材１０１と第２区画部材１０２とは接続される。図６に示すように、第１区画部材１０１と第２区画部材１０２とは、ねじのような固定部材１３０により接続される。
【００４９】
図８は、図７の一部を拡大した図である。第１高音用スピーカ８１と第２高音用スピーカ８２とは同等の構造及び大きさであり、第１区画部材１０１と第２区画部材１０２とは同等の構造及び大きさである。以下の説明については、第１高音用スピーカ８１及び第１区画部材１０１について主に説明し、第２高音用スピーカ８２及び第２区画部材１０２についての説明は簡略又は省略する。
【００５０】
第１高音用スピーカ８１は、振動板８３と、コイル８４と、フレーム８５とを有する。フレーム８５は、振動板８３を支持するフランジ部８５Ｆ及びコイル８４の周囲に配置される本体部８５Ｂを含む。フレーム８５の本体部８５Ｂは、少なくともコイル８４及び磁石を支持する。
【００５１】
第１区画部材１０１は、開口２３Ｍに配置されるリム部１０３と、内部空間ＳＰに配置され第１空間ＳＰ１を形成するボウル部１０４と、台座部１０５とを有する。リム部１０３は、フランジ部８５Ｆを支持する。リム部１０３の少なくとも一部は、フランジ部８５Ｆの周囲に配置される。ボウル部１０４は、本体部８５Ｂの周囲に配置される。第１空間ＳＰ１は、ボウル部１０４の内側の空間である。
【００５２】
ボウル部１０４は、カップ状の部材である。リム部１０３は、ボウル部１０４の口縁を含む。リム部１０３は、左方に開口する。台座部１０５は、ボウル部１０４の右部に固定される。第１空間ＳＰ１に面するボウル部１０４の内面は、曲面を含む。第２空間ＳＰ２に面するボウル部１０４の外面は、曲面を含む。ボウル部１０４により形成される第１空間ＳＰ１は、実質的に密閉される。
【００５３】
第１区画部材１０１は、更にプレート部１０６を有する。プレート部１０６は、リム部１０３の周囲に配置される。プレート部１０６は、リム部１０３に固定される。本実施形態において、プレート部１０６の少なくとも一部は、フランジ部８５Ｆの周囲に配置される。プレート部１０６は、左板２３の左面（外面）と対向するように配置される。すなわち、プレート部１０６は、左右方向において、ハウジング２の中心に対して左板２３よりも左方（外方）に配置される。プレート部１０６と対向するようにメッシュプレート２８が配置される。メッシュプレート２８は、多数の小孔を有する金属製の板である。メッシュプレート２８は、第１高音用スピーカ８１を覆うように配置される。
【００５４】
図２、図３、及び図５は、ハウジング２にメッシュプレート２８が接続されている状態を示し、図４は、ハウジング２からメッシュプレート２８が外されている状態を示す。
【００５５】
第１区画部材１０１と同様、第２区画部材１０２は、リム部１０３と、ボウル部１０４と、台座部１０５、プレート部１０６とを有する。第２区画部材１０２のリム部１０３は、右方に開口する。第２区画部材１０２の台座部１０５は、第２区画部材１０２のボウル部１０４の左部に固定される。第２区画部材１０２のプレート部１０６は、左右方向において、ハウジング２の中心に対して右板２４よりも右方（外方）に配置される。第２区画部材１０２のプレート部１０６と対向するようにメッシュプレート２８が配置される。メッシュプレート２８は、第２高音用スピーカ８２を覆うように配置される。
【００５６】
第１区画部材１０１の台座部１０５と第２区画部材１０２の台座部１０５とが固定部材１３０により接続される。
【００５７】
高音用スピーカ８と同様、低音用スピーカ９は、振動板８３と、コイル８４と、フレーム８５とを有する。フレーム８５は、振動板８３を支持するフランジ部８５Ｆ及びコイル８４の周囲に配置される本体部８５Ｂを含む。低音用スピーカ９のフランジ部８５Ｆは、下板２２の開口２２Ｍに配置される。低音用スピーカ９は、ハウジング２の下板２２に支持される。
【００５８】
低音用スピーカ９は、下板２２よりも下方に向かって音声を出力する。本実施形態において、低音用スピーカ９の周囲の一部に脚部７が設けられている。脚部７と設置面とが接触した状態で、下板２２の下面及び低音用スピーカ９は、設置面から離れる。
【００５９】
また、図６に示すように、ハウジング２の内部空間ＳＰに、制御装置７０の少なくとも一部として機能する制御基板７１が配置される。制御基板７１には、制御基板７１を冷却するためのヒートシンク７２が接続される。
【００６０】
図７に示すように、ハンドル３のアーム部３２の内部には、ラジオ放送の電波を受信するアンテナ３５が設けられる。ハンドル３が起立状態になることにより、アンテナ３５も起立状態になる。例えば、アンテナ３５がＦＭ放送の電波を受信するＦＭ用アンテナである場合、作業者は、ハンドル３を起立状態にしてＦＭ放送を聞く。ＦＭ放送を聞かないとき、作業者は、ハンドル３を収納状態にする。収納状態において、上板２１と上面とハンドル３の上面とは実質的に同一面内に配置され、後板２６の後面とハンドル３の後面とは実質的に同一面内に配置される。このように、アーム部３２にアンテナ３５が内蔵されることにより、音声出力器１の意匠性が向上する。
【００６１】
[バッテリ収容室]
次に、図９、図１０、及び図１１を参照しながら、バッテリ収容室１０について説明する。図９、図１０、及び図１１のそれぞれは、本実施形態に係るバッテリ収容室１０を示す斜視図であり、本体部材２Ａから蓋部材２Ｂが外され、バッテリ収容室１０が開放されている状態を示す。
【００６２】
バッテリ収容室１０は、本体部材２Ａの後方に規定される。本体部材２Ａは、バッテリ１１が装着されるバッテリ装着部１２を備える。バッテリ装着部１２は、本体部材２Ａの後部に設けられる。
【００６３】
バッテリ１１は、電工工具に電力を供給可能な電動工具用バッテリである。バッテリ１１は、電動工具のバッテリ装着部に装着されることにより、電動工具に電力を供給する。また、バッテリ１１は、充電式バッテリである。バッテリ１１は、２次電池を含む。充電器で充電されることにより、バッテリ１１は、電荷を保持する。音声出力器１のバッテリ装着部１２は、電動工具のバッテリ装着部と同等の構造及び機能を有する。
【００６４】
本実施形態において、音声出力器１に電力を供給可能なバッテリ１１は、第１バッテリ１１Ａと、第２バッテリ１１Ｂとを含む。第１バッテリ１１Ａの外形は、第２バッテリ１１Ｂの外形よりも小さい。一例として、第１バッテリ１１Ａは、１０．８［Ｖ］バッテリであり、第２バッテリ１１Ｂは、１８［Ｖ］バッテリである。
【００６５】
バッテリ装着部１２は、第１バッテリ１１Ａが装着される第１バッテリ装着部１２Ａと、第２バッテリ１１Ｂが装着される第２バッテリ装着部１２Ｂとを含む。第１バッテリ装着部１２Ａと第２バッテリ装着部１２Ｂとは上下方向に配置される。
【００６６】
本実施形態において、バッテリ１１は、スライド式バッテリである。バッテリ装着部１２は、左右方向に配置されバッテリ１１を上下方向にガイドする一対のガイド部と、一対のガイド部の間に配置される電極部とを有する。バッテリ１１は、ガイド部よりも上方からガイド部に挿入され、ガイド部にガイドされながら下方にスライドすることにより、電極部に接続される。なお、バッテリ１１は、差込式バッテリでもよい。
【００６７】
図９は、第１バッテリ装着部１２Ａに第１バッテリ１１Ａが装着されている状態を示す。図１０は、第２バッテリ装着部１２Ｂに第２バッテリ１１Ｂが装着されている状態を示す。
【００６８】
本実施形態においては、２つのバッテリ１１（１１Ａ，１１Ｂ）が２つのバッテリ装着部１２（１２Ａ，１２Ｂ）のそれぞれに同時に装着されないように、バッテリ１１の外形及び寸法に合わせて、バッテリ装着部１２の構造及び２つのバッテリ装着部１２の距離が定められている。図１１に示すように、例えば第２バッテリ装着部１２Ｂに第２バッテリ１１Ｂが装着されているとき、作業者が第１バッテリ装着部１２Ａに第１バッテリ１１Ａを装着しようとしても、第１バッテリ１１Ａと第２バッテリ１１Ｂとの接触により、第１バッテリ１１Ａを第１バッテリ装着部１２Ａに装着することができない。また、第１バッテリ装着部１２Ａに第１バッテリ１１Ａが装着されているとき、作業者が第２バッテリ装着部１２Ｂに第２バッテリ１１Ｂを装着しようとしても、第１バッテリ１１Ａと第２バッテリ１１Ｂとの接触により、第２バッテリ１１Ｂを第２バッテリ装着部１２Ｂに装着することができない。
【００６９】
このように、本実施形態においては、第１バッテリ１１Ａが第１バッテリ装着部１２Ａに装着されているときに第２バッテリ１１Ｂが第２バッテリ装着部１２Ｂに装着されず、第２バッテリ１１Ｂが第２バッテリ装着部１２Ｂに装着されているときに第１バッテリ１１Ａが第１バッテリ装着部１２Ａに装着されないように、第１バッテリ１１Ａ及び第２バッテリ１１Ｂのそれぞれの外形及び寸法に合わせて、第１バッテリ装着部１２Ａ及び第２バッテリ装着部１２Ｂのそれぞれの構造及び第１バッテリ装着部１２Ａと第２バッテリ装着部１２Ｂとの距離が定められている。
【００７０】
２つのバッテリ１１（１１Ａ，１１Ｂ）が２つのバッテリ装着部１２（１２Ａ，１２Ｂ）のそれぞれに同時に装着されている状態において、制御基板７１の少なくとも一部に異常が発生した場合、第２バッテリ１１Ｂから第１バッテリ１１Ａに電流が流れてしまう現象が発生する可能性ある。本実施形態によれば、２つのバッテリ１１（１１Ａ，１１Ｂ）が２つのバッテリ装着部１２（１２Ａ，１２Ｂ）のそれぞれに同時に装着されないので、上述の現象の発生が抑制される。
【００７１】
本実施形態においては、本体部材２Ａと蓋部材２Ｂとの間にシール部材が設けられる。本体部材２Ａと蓋部材２Ｂとが接続され、バッテリ収容室１０が閉塞されている状態において、シール部材により、ハウジング２の外部空間からバッテリ収容室１０に異物が侵入することが抑制される。蓋部材２Ｂは、異物からバッテリ装着部１２を保護する。異物は、塵埃及び雨水のような液体を含む。
【００７２】
[効果]
以上説明したように、本実施形態によれば、電動工具用のバッテリ１１が装着されるバッテリ装着部１２を備える音声出力器１において、高音用スピーカ８と低音用スピーカ９とが設けられる。高音用スピーカ８及び低音用スピーカ９のそれぞれから音声を出力させるマルチウェイスピーカ方式が採用されることにより、作業現場において、作業者は、高音質な音楽又はラジオ放送を楽しむことができる。また、交流電源の使用が困難な作業現場においても、作業者は、電動工具用のバッテリ１１で作動する音声出力器１を用いて、音楽又はラジオ放送を楽しむことができる。
【００７３】
また、本実施形態においては、高音用スピーカ８の少なくとも一部がハウジング２の内部空間ＳＰに配置され、低音用スピーカ９の少なくとも一部がハウジング２の内部空間ＳＰに配置される。ハウジング２は、ハウジング２の外部空間から内部空間ＳＰに異物が侵入することを抑制する。異物は、塵埃及び雨水のような液体を含む。これにより、高音用スピーカ８及び低音用スピーカ９のそれぞれは、ハウジング２によって異物から保護される。
【００７４】
高音用スピーカ８の少なくとも一部がハウジング２の内部空間ＳＰに配置され、低音用スピーカ９の少なくとも一部がハウジング２の内部空間ＳＰに配置される場合、高音用スピーカ８から出力された音声に起因する空気の振動が内部空間ＳＰを介して低音用スピーカ９に伝播したり、低音用スピーカ９から出力された音声に起因する空気の振動が内部空間ＳＰを介して高音用スピーカ８に伝播したりする可能性がある。内部空間ＳＰを介して高音用スピーカ８から低音用スピーカ９に空気の振動が伝播すると、低音用スピーカ９の動きが阻害され、音声出力器１の音質が低下する可能性がある。また、内部空間ＳＰを介して低音用スピーカ９から高音用スピーカ８に空気の振動が伝播すると、高音用スピーカ８の動きが阻害され、音声出力器１の音質が低下する可能性がある。高音用スピーカ８から出力される音声の周波数領域と、低音用スピーカ９から出力される音声の周波数領域とは異なる。そのため、高音用スピーカ８及び低音用スピーカ９の一方のスピーカから他方のスピーカに内部空間ＳＰを介して空気の振動が伝播すると、音質が低下する可能性が高くなる。
【００７５】
本実施形態によれば、ハウジング２の内部空間ＳＰにおいて高音用スピーカ８が配置される第１空間ＳＰ１と低音用スピーカ９が配置される第２空間ＳＰ２とを区画する区画部材１００が設けられる。区画部材１００が設けられることにより、内部空間ＳＰを介して高音用スピーカ８から低音用スピーカ９に空気の振動が伝播したり、内部空間ＳＰを介して低音用スピーカ９から高音用スピーカ８に空気の振動が伝播したりすることが抑制される。これにより、音声出力器１の音質の低下が抑制される。
【００７６】
本実施形態によれば、区画部材１００は、ハウジング２の内部空間ＳＰにおいて、高音用スピーカ８の周囲に配置される。高音用スピーカ８の外形は、低音用スピーカ９の外形よりも小さい。高音用スピーカ８の周囲に区画部材１００を配置することにより、区画部材１００を小型化することができる。
【００７７】
本実施形態によれば、第１区画部材１０１の少なくとも一部は、左板２３の開口２３Ｍに配置される。第１高音用スピーカ８１の少なくとも一部は、第１区画部材１０１に接続される。これにより、第１高音用スピーカ８１は、第１区画部材１０１を介して左板２３に支持される。第２区画部材１０２及び第２高音用スピーカ８２についても同様である。
【００７８】
本実施形態によれば、第１区画部材１０１は、左板２３の開口２３Ｍに配置されるリム部１０３を有する。リム部１０３は、第１高音用スピーカ８１のフランジ部８５Ｆの周囲に配置される。これにより、第１高音用スピーカ８１のフランジ部８５Ｆは、第１区画部材１０１のリム部１０３を介して左板２３に支持される。また、第１高音用スピーカ８１の振動板８３は、開口２３Ｍの内側に配置されるので、第１高音用スピーカ８１から出力される音声は、ハウジング２の外部空間に円滑に出力される。また、本実施形態によれば、第１区画部材１０１は、第１空間ＳＰ１を形成するボウル部１０４を有する。ボウル部１０４は、第１高音用スピーカ８１の本体部８５Ｂの周囲に配置される。これにより、第１高音用スピーカ８１の本体部８５Ｂは、実質的に密閉された第１空間ＳＰ１に配置される。そのため、高音用スピーカ８及び低音用スピーカ９の一方のスピーカから他方のスピーカに空気の振動が伝播することが効果的に抑制される。また、第１空間ＳＰ１は、曲面を含むボウル部１０４によって形成される。これにより、第１区画部材１０１の強度が維持される。第２区画部材１０２及び第２高音用スピーカ８２についても同様である。
【００７９】
本実施形態によれば、高音用スピーカ８は、第１高音用スピーカ８１と、第２高音用スピーカ８２とを含む。第１高音用スピーカ８１は、左板２３に配置され、第２高音用スピーカ８２は、右板２４に配置される。第１高音用スピーカ８１及び第２高音用スピーカ８２のそれぞれから音声を出力させるステレオスピーカ方式が採用されることにより、作業現場において、作業者は、高音質な音楽又はラジオ放送を楽しむことができる。
【００８０】
区画部材１００は、第１高音用スピーカ８１の周囲に配置されハウジング２の左板２３に支持される第１区画部材１０１と、第２高音用スピーカ８２の周囲に配置されハウジング２の右板２４に支持される第２区画部材１０２とを含む。内部空間ＳＰにおいて、第１区画部材１０１の台座部１０５と第２区画部材１０２の台座部１０５とが固定部材１３０により接続される。左板２３と右板２４とが区画部材１００を介して連結されることにより、ハウジング２の剛性が向上する。ハウジング２の剛性が向上することにより、ハウジング２の不要な振動が抑制されるため、ブーミー音のような不要な音声が出力されることが抑制される。
【００８１】
また、本実施形態においては、区画部材１００が第１区画部材１０１と第２区画部材１０２とによって構成されるので、音声出力器１の製造及び組立において良好な作業性が得られる。
【００８２】
本実施形態において、低音用スピーカ９は、ハウジング２の下板２２に配置される。これにより、音声出力器１が設置面に設置された場合、低音用スピーカ９は、下方に向かって低音な音声を出力することができる。脚部７により低音用スピーカ９と設置面との間に隙間が形成されるので、低音用スピーカ９から出力された音声は、隙間を介して、音声出力器１の周囲に良好に伝達される。
【００８３】
[他の実施形態]
上述の実施形態においては、区画部材１００は、高音用スピーカ８を囲むボウル部１０４を有することとした。区画部材１００は、低音用スピーカ９を囲むボウル部１０４を有してもよい。
【００８４】
上述の実施形態においては、曲面を含むボウル部１０４によって第１空間ＳＰ１が形成されることとした。また、ボウル部１０４により第１空間ＳＰ１は実質的に密閉されることとした。ボウル部１０４の一部に設けられた開口を介して第１空間ＳＰ１と第２空間ＳＰ２とが結ばれてもよい。また、第１空間ＳＰ１を規定する区画部材１００の内面が角部を有してもよい。
【００８５】
上述の実施形態においては、低音用スピーカ９は、下板２２に１つだけ配置されることとした。低音用スピーカ９は、下板２２に２つ配置されてもよいし、３つ以上の任意の複数だけ配置されてもよい。また、左右方向において、低音用スピーカ９は、第１高音用スピーカ８１と第２高音用スピーカ８２との間に配置されていればよく、上板２１に配置されてもよいし、前板２５に配置されてもよいし、後板２６に配置されてもよい。
【００８６】
図１２は、他の実施形態に係る音声出力器１を模式的に示す斜視図である。図１２に示すように、低音用スピーカ９は、ハウジング２の左板２３及び右板２４の両方に配置されてもよい。なお、低音用スピーカ９は、ハウジング２の左板２３及び右板２４の一方に配置されてもよい。第１高音用スピーカ８１が左板２３に設けられ、左方に向かって音声を出力する場合、低音用スピーカ９も左板２３に設けられ、左方に向かって音声を出力してもよい。第２高音用スピーカ８２が右板２４に設けられ、右方に向かって音声を出力する場合、低音用スピーカ９も右板２４に設けられ、右方に向かって音声を出力してもよい。
【００８７】
上述の実施形態において、２台の音声出力器１が同期して音声を出力してもよい。例えば、完全ワイヤレスステレオ（ＴＷＳ：True  Wireless  Stereo）技術に基づいて、２台の音声出力器１のそれぞれから同時に音声が出力されてもよい。
【００８８】
上述の実施形態において、音声出力器１のバッテリ装着部１２の構造は、電動工具のバッテリ装着部の構造と同等であり、他の音声出力器のバッテリ装着部の構造と同等である。一方、音声出力器１の電源端子６１の構造は、電動工具に設けられている電源端子、及び他の音声出力器の電源端子の構造と異なる。すなわち、電動工具の電源端子又は他の音声出力器の電源端子に接続可能なＡＣアダプタは、本実施形態に係る音声出力器１の電源端子６１に接続不可能である。換言すれば、本実施形態に係る音声出力器１の電源端子６１には、音声出力器１専用のＡＣアダプタのみが接続可能である。例えば、電源端子６１の長さを長くすることによって、電源端子６１に電動工具の電源端子又は他の音声出力器の電源端子が接続されないようにしてもよい。ＡＣアダプタは、交流電源（商用電源）から供給された交流電力を直流電力に変換して、電源端子６１に出力する。本実施形態に係る音声出力器１のＡＣアダプタの出力が大きく、電源端子６１が受入可能な直流電力値が大きい場合、他のＡＣアダプタが電源端子６１に接続されてしまうと、他のＡＣアダプタが加熱する現象が発生する可能性がある。本実施形態においては、電源端子６１には、音声出力器１専用のＡＣアダプタのみが接続可能であり、他のＡＣアダプタは接続不可能なので、上述の現象の発生が抑制される。なお、音声出力器１専用のＡＣアダプタが、電動工具の電源端子又は他の音声出力器の電源端子が接続されてもよい。
【００８９】
上述の実施形態において、音声出力器１は、ラジオ放送出力機能及び音楽再生機能を有することとした。音声出力器１は、ラジオ放送出力機能を有さずに、外部機器（９１，９２）から送信された音声データを出力する音楽再生機能のみを有してもよい。また、音声出力器１は、音楽再生機能を有さずに、ラジオ放送出力機能のみを有してもよい。
【符号の説明】
【００９０】
１…音声出力器、２…ハウジング、２Ａ…本体部材、２Ｂ…蓋部材、３…ハンドル、４…緩衝部材、５…操作パネル、６…ガード部材、７…脚部、８…高音用スピーカ、９…低音用スピーカ、１０…バッテリ収容室、１１…バッテリ、１１Ａ…第１バッテリ、１１Ｂ…第２バッテリ、１２…バッテリ装着部、１２Ａ…第１バッテリ装着部、１２Ｂ…第２バッテリ装着部、２１…上板、２２…下板、２２Ｍ…開口、２３…左板、２３Ｍ…開口、２４…右板、２４Ｍ…開口、２５…前板、２６…後板、２７…ロック機構、２８…メッシュプレート、３１…把持部、３２…アーム部、３５…アンテナ、４１…第１端子、４２…第２端子、４３…第３端子、４５…カバー、４６…カバー、４７…カバー、５１…表示装置、５２…ボタン、５３…ボタン、５４…ダイヤル、５５…イコライザボタン、５６…インフォボタン、５７…発光部、６０…カバー、６１…電源端子、７０…制御装置、７０Ａ…受信部、７０Ｂ…通信部、７０Ｃ…取得部、７０Ｄ…処理部、７０Ｅ…出力部、７１…制御基板、７２…ヒートシンク、８１…第１高音用スピーカ、８２…第２高音用スピーカ、８３…振動板、８４…コイル、８５…フレーム、８５Ｂ…本体部、８５Ｆ…フランジ部、９１…外部機器、９２…外部機器、１００…区画部材、１０１…第１区画部材、１０２…第２区画部材、１０３…リム部、１０４…ボウル部、１０５…台座部、１０６…プレート部、１３０…固定部材、ＳＰ…内部空間、ＳＰ１…第１空間、ＳＰ２…第２空間。
【図１】
2020028090.tif 000003
【図２】
2020028090.tif 000004
【図３】
2020028090.tif 000005
【図４】
2020028090.tif 000006
【図５】
2020028090.tif 000007
【図６】
2020028090.tif 000008
【図７】
2020028090.tif 000009
【図８】
2020028090.tif 000010
【図９】
2020028090.tif 000011
【図１０】
2020028090.tif 000012
【図１１】
2020028090.tif 000013
【図１２】
2020028090.tif 000014